(57)【要約】【課題】搬送経路の閉じと連続紙の有りとの検出を一つの検出器で行えるようにし、かつ、この場合にでも、操作者が検出器を誤動作させてしまうことを防止する。【解決手段】第一のユニット１３と第二のユニット１４との間に搬送経路３９を形成する。揺動自在に設けられた揺動部材５１の一端５１ａに検出器２９を設ける。揺動部材５１は、搬送経路３９を閉じる位置に第二のユニット１４が位置しているときには他端５１ｂ側を押されて検出器２９による連続紙１６の有無の検出が可能となる検出位置に位置付けられ、搬送経路３９を開放する位置に第二のユニット１４が位置しているときには検出器２９が搬送経路３９から退避し連続紙１６の有無の検出が不可となる退避位置に位置付けられる。揺動部材５１と検出器２９とを覆い部材４０により覆う。【選択図】    図５
2004358745.tif 000002
【特許請求の範囲】
【請求項１】
搬送経路に沿って連続紙がセットされていることを検出器によって検出している場合にのみ印字動作を実行するプリンタにおいて、
第一のユニットと、
前記第一のユニットに対して開閉自在に設けられ、前記第一のユニットに対して閉じた状態のときに前記第一のユニットとの間に前記搬送経路を形成する第二のユニットと、
一端側に前記検出器を有して前記第一又は第二のユニットの一方に設けられ、前記検出器による前記搬送経路中の連続紙の有無の検出が可能となる検出位置と、前記検出器が前記搬送経路中の連続紙の有無の検出可能な位置から退避し前記搬送経路中の連続紙の有無の検出が不可となる退避位置との間で揺動自在に設けられた揺動部材と、
前記揺動部材が設けられない方の前記ユニットに設けられ、前記第二のユニットを閉じる動作に伴い前記揺動部材が設けられた方の前記ユニットに挿入される押し部材と、
前記第二のユニットを閉じる動作に伴い進入する前記押し部材の押圧力が前記揺動部材の他端に作用して前記揺動部材を揺動させて前記検出位置に位置付ける第一の位置付け手段と、
前記第一のユニットに対して開いた位置に前記第二のユニットが位置しているときに、前記揺動部材を前記退避位置に位置付ける第二の位置付け手段と、
前記押し部材の挿入を許容して人間の指の挿入を遮断する大きさに形成された貫通孔が設けられ前記揺動部材と前記検出器とを覆う覆い部材と、を備えることを特徴とするプリンタ。
【請求項２】
搬送経路に沿って連続紙がセットされていることを検出器によって検出している場合にのみ印字動作を実行するプリンタにおいて、
第一のユニットと、
前記第一のユニットに対して開閉自在に設けられ、前記第一のユニットに対して閉じた状態のときに前記第一のユニットとの間に前記搬送経路を形成する第二のユニットと、
一端側に前記検出器を有して前記第一又は第二のユニットの一方に設けられ、前記検出器が前記搬送経路中の連続紙の有無の検出が可能となる検出位置と前記検出位置から退避し前記搬送経路中の連続紙の有無の検出が不可となる退避位置との間で移動可能なように揺動自在に設けられた揺動部材と、
前記揺動部材が設けられない方の前記ユニットに設けられ、前記第二のユニットを閉じる動作に伴い前記揺動部材が設けられた方の前記ユニットに挿入される押し部材と、
前記第二のユニットを閉じる動作に伴い進入する前記押し部材の押圧力が前記揺動部材の他端に作用して前記揺動部材を揺動させて前記検出器を前記検出位置に位置付ける第一の位置付け手段と、
前記第一のユニットに対して開いた位置に前記第二のユニットが位置しているときに、前記検出器が前記退避位置となるように前記揺動部材を揺動させる第二の位置付け手段と、
前記押し部材の挿入を許容して人間の指の挿入を遮断する大きさに形成された貫通孔が設けられ前記揺動部材と前記検出器とを覆う覆い部材と、を備えることを特徴とするプリンタ。
【発明の詳細な説明】
【０００１】
【発明の属する技術分野】
本発明は、連続紙に印字するプリンタに関する。
【０００２】
【従来の技術】
従来、連続紙に印字するプリンタとして、例えば、電子式キャッシュレジスタに内蔵されるレシートプリンタ等が実用化されている。ここで、従来のレシートプリンタを図８に示す。
【０００３】
図８に示すように、従来のレシートプリンタ１００は、各種構造物が取り付けられた下部ユニット１０１とこの下部ユニット１０１に回動自在に取り付けられ各種構造物が取り付けられた上部ユニット１０２との間に形成される搬送経路１０３に、用紙収納部１０４に収納された連続紙であるロール紙１０５を引き出し搬送し、サーマルヘッド１０６にて所定事項を印字し、印字後のロール紙１０５をカッタ装置１０７で切断して発行する。
【０００４】
このような構造では、上部ユニット１０２を開けることにより、用紙収納部１０４を含む搬送経路１０３が開放され、搬送経路１０３へのロール紙１０５のセットが容易に行える。
【０００５】
このようなレシートプリンタ１００には、搬送経路１０３中のロール紙１０５の有無を検出する用紙検出器１０８と、上部ユニット１０２の開閉を検出する図示しない開閉検出器とが設けられており、開閉検出器が上部ユニット１０２の閉じを検出（ＯＮ信号出力）し、用紙検出器１０８がロール紙１０５の有りを検出（ＯＮ信号出力）したのを条件に印字動作を開始可能としている。
【０００６】
ここで、例えば、複写機などの画像記録装置では、レバー機構を採用して一つのセンサによりレジスト検出と、交換キットの有無の検出と、上カバーの開閉検出とを行うことが可能なものがある（例えば、特許文献１）。これにより、装置を安価にすることが可能であるとされている。
【０００７】
【特許文献１】
特許第２７８１１９６号公報
【０００８】
【発明が解決しようとする課題】
レシートプリンタ１００においても、用紙検出器１０８と、開閉検出器と二つある検出器を一つにすることによりレシートプリンタ１００を安価にすることが可能となるが、特許文献１の技術の例では、上カバーを開けたときにレバー機構が露出してしまい、このレバー機構に操作者が誤って触れてしまい、これにより、センサがＯＮ信号を出力してしまうという危険性がある。
【０００９】
レシートプリンタ１００において、例えば、レバー機構を採用して二つある検出器を一つにして、上部ユニット１０２を開けたときに、操作者が誤って検出器をＯＮにしてしまったときには、印字動作が開始されてしまう場合がある。
【００１０】
このときには、印字動作の開始によりサーマルヘッド１０６が発熱しそれが露出しているので危険である。また、サーマルヘッド１０６は通常の印字動作においては熱がロール紙１０５に逃げるが、この場合にはサーマルヘッド１０６に熱が蓄積してしまいサーマルヘッド１０６が高温により損傷する可能性がある。また、このような空の印字動作が行われることにより、実際にはロール紙に印字がなされていないのに印字データが消去されてしまうという問題がある。
【００１１】
本発明の目的は、搬送経路の閉じと連続紙の有りとの検出を一つの検出器で行えるようにし、かつ、この場合にでも、操作者が検出器を誤動作させてしまうことを防止することである。
【００１２】
【課題を解決するための手段】
本発明は、第一のユニットとこの第一のユニットに対して開閉自在に設けられた第二のユニットとの間に搬送経路を形成する構成をとる。一端側に前記検出器を有して前記第一又は第二のユニットの一方に設けられ、前記検出器による前記搬送経路中の連続紙の有無の検出が可能となる検出位置と、前記検出器が前記搬送経路中の連続紙の有無の検出可能な位置から退避し前記搬送経路中の連続紙の有無の検出が不可となる退避位置との間で揺動自在に設けられた揺動部材と、前記揺動部材が設けられない方の前記ユニットに設けられ、前記第二のユニットを閉じる動作に伴い前記揺動部材が設けられた方の前記ユニットに挿入される押し部材と、前記第二のユニットを閉じる動作に伴い進入する前記押し部材の押圧力が前記揺動部材の他端に作用して前記揺動部材を揺動させて前記検出位置に位置付ける第一の位置付け手段と、前記第一のユニットに対して開いた位置に前記第二のユニットが位置しているときに、前記揺動部材を前記退避位置に位置付ける第二の位置付け手段と、前記押し部材の挿入を許容して人間の指の挿入を遮断する大きさに形成された貫通孔が設けられ前記揺動部材と前記検出器とを覆う覆い部材と、を備える。
【００１３】
【発明の実施の形態】
本発明の一実施の形態を図１ないし図７に基づいて説明する。本実施の形態は、電子式キャッシュレジスタに内蔵されたレシートプリンタへの適用例である。
【００１４】
図１は本実施の形態のレシートプリンタを示す外観斜視図、図２はレシートプリンタの概略断面構造を示す概略側面図、図３は搬送経路を開放した状態のレシートプリンタを示す斜視図である。
【００１５】
図１ないし図３に示すように、レシートプリンタ１は、板金状のフレーム２に各種構造物が取り付けられた第一のユニットである下部ユニット１３と板金状のフレーム３に各種構造物が取り付けられた第二のユニットである上部ユニット１４とによって構成されている。上部ユニット１４は、下部ユニット１３の後部に支軸１５によって回動自在に取り付けられている。これにより、上部ユニット１４が下部ユニット１３に対して開閉可能となっている。下部ユニット１３は電子式キャッシュレジスタの筐体（図示せず）に取り付けられる。
【００１６】
まず、下部ユニット１３について説明する。下部ユニット１３には、その後方に位置させて連続紙であるロール紙１６を収納保持する投げ込み式の用紙収納部１７が設けられ、前方に位置させてプラテン１８が設けられている。このプラテン１８は、下部ユニット１３のフレーム２にプラテン軸１９（図３）によって回転自在に取り付けられており、そのプラテン１８に対して、ギヤ列２０によって伝達されるモータＭ１（図２）からの駆動力によって回転駆動される。
【００１７】
また、下部ユニット１３には、その最前方に位置させてカッタ装置２１（図２、図３）を構成する可動刃２２が設けられている。この可動刃２２は、下部ユニット１３のフレーム２に可動刃軸２３（図３）によって回動自在に取り付けられており、図示しないカッタ駆動機構を介してモータＭ２（図６参照）に駆動されて可動刃軸２３を中心に回動する。
【００１８】
下部ユニット１３には、図２に示すように、さらに、用紙収納部１７とプラテン１８との間に位置させて、ロール紙１６の有無を検出するための検出器である検出スイッチ２９が設けられている。検出スイッチ２９はレバー２９ａ（図４参照）が押されることによりＯＮ信号を出力し、レバー２９ａが押されていない状態ではＯＦＦ信号を出力する。検出スイッチ２９の取り付け構造は後述する。
【００１９】
次いで、上部ユニット１４について説明する。上部ユニット１４は、その回動自由端側の先端部に位置させて印字ヘッドであるライン型のサーマルヘッド３０が取り付けられている。このサーマルヘッド３０は、上部ユニット１４のフレーム３にヘッド軸３１によって回動自在に取り付けられており、その図示しない発熱素子列がプラテン１８に接触するように位置付けられている。また、サーマルヘッド３０は、その発熱素子列がプラテン１８に当接するように、図示しないスプリングによって付勢されている。ここに、サーマルヘッド３０はプラテン１８と共に印字部を構成する。
【００２０】
上部ユニット１４には、下部ユニット１３に設けられた可動刃２２と共にカッタ装置２１を構成する固定刃３２も設けられている。この固定刃３２は、上部ユニット１４のフレーム３に遥動自在に取り付けられており、可動刃２２と噛合う方向に付勢されて取り付けられている。
【００２１】
さらに、下部ユニット１３と上部ユニット１４との間には、用紙収納部１７からサーマルヘッド３０を通過し、カッタ装置２１に達する搬送経路３９（図２）が形成されている。この搬送経路３９は、用紙収納部１７からプラテン１８とサーマルヘッド３０とからなる印字部までの間においては、下部ユニット１３に設けられた覆い部材である下部上流案内板４０と上部ユニット１４に設けられた上部上流案内板４１とによって形成されている。また、搬送経路３９は、印字部からカッタ装置２１までの間においては、下部ユニット１３に設けられた下部下流案内板４２と上部ユニット１４に設けられた上部下流案内板４３とによって形成されている。
【００２２】
次に、検出スイッチ２９の取り付け構造及び第一の位置付け手段を図３ないし図５に基づいて説明する。ここで、図４はスイッチ保持機構を示す斜視図、図５はスイッチ保持機構を示し、（ａ）は搬送経路３９が開放された状態でのスイッチ保持機構を示す縦断正面図、（ｂ）は搬送経路３９が閉じられた状態でのスイッチ保持機構を示す縦断正面図、（ｃ）は搬送経路３９が閉じられた状態でロール紙１６が搬送経路３９中にある状態のスイッチ保持機構を示す縦断正面図である。
【００２３】
下部上流案内板４０の下側には、図４及び図５に示すように、支軸５０を中心に揺動する揺動部材５１が設けられている。検出スイッチ２９は、この揺動部材５１の一端５１ａ側に取り付けられている。ここで、支軸５０と揺動部材５１とによりスイッチ保持機構５２が構成されている。下部上流案内板４０には、揺動部材５１の他端５１ｂ側に対向する位置に貫通孔５３が形成されている。この貫通孔５３は、上部ユニット１４の上部上流案内板４１から下方へ向けて突出して設けられた棒状の押し部材５４が通過可能に形成されている。さらに、下部上流案内板４０には、揺動部材５１の一端５１ａ側に設けられた検出スイッチ２９の揺動軌跡上に貫通孔５５（図３、図５参照）が形成されており、この貫通孔５５は、検出スイッチ２９のレバー２９ａが通過可能に形成されている。これらの貫通孔５３，５５は人間の指が入らない大きさに形成されている。
【００２４】
このような検出スイッチ２９の取り付け構造では、上部ユニット１４が開けられて搬送経路３９を開放する開放位置に上部ユニット１４が位置しているときには、揺動部材５１は、検出スイッチ２９の自重により検出スイッチ２９側の一端５１ａが下がり、他端５１ｂが上がる（第二の位置付け手段）。そして他端５１ｂが下部上流案内板４０の下面で移動を規制されて、揺動部材５１は位置決めされる。このとき、検出スイッチ２９の全体が下部上流案内板４０の下に位置して、検出スイッチ２９と揺動部材５１とが下部上流案内板４０に覆われた状態となる（図３）。このときの揺動部材５１及び検出スイッチ２９の位置は、退避位置とされる。なお、このように揺動部材５１及び検出スイッチ２９を退避位置に位置付ける手段としては、検出スイッチ２９の自重によるものに限るものではなく、例えば、バネ（図示せず）の付勢力によるものであってもよい。
【００２５】
この状態から搬送経路３９を閉じる方向に上部ユニット１４が回動されると、押し部材５４が貫通孔５３を通過、つまり下部ユニット１３に挿入され、揺動部材５１の他端５１ｂを押す。この押圧力により、揺動部材５１の他端５１ｂ側は下がり、検出スイッチ２９が取り付けられている一端５１ａ側は上がる。そして、最終的に搬送経路３９を閉じる位置である閉じ位置に上部ユニット１４が位置することにより下部ユニット１３に対して上部ユニット１４が閉じられると、検出スイッチ２９のレバー２９ａは貫通孔５５を通過して搬送経路３９中に位置付けられる。このときの揺動部材５１及び検出スイッチ２９の位置は検出位置とされている。ここで、検出スイッチ２９に対向する上部上流案内板４１には、検出スイッチ２９との干渉を避けるための逃げ孔５６が形成されており、検出スイッチ２９が検出位置に位置している場合でも検出スイッチ２９と上部上流案内板４１とは干渉しない。さらに、押し部材５４は搬送経路３９中の用紙に干渉しない位置に設けられている。
【００２６】
そして、この状態から上部ユニット１４が開放位置へ回動されることにより、その回動に応じて、揺動部材５１の他端５１ｂ側が上へ移動し一端５１ａ側が下に移動し、最終的に揺動部材５１と検出スイッチ２９とが退避位置に位置することとなる。
【００２７】
次に、レシートプリンタ１の各部の電気的な接続について図６に基づいて説明する。図６に示すように、レシートプリンタ１には、全体の制御を受け持つＣＰＵ６１が設けられている。ＣＰＵ６１には、制御プログラムなどの固定的なデータを格納したＲＯＭ６２、可変的なデータを一時的に書き換え自在に格納するＲＡＭ６３、各種モータＭ１，Ｍ２、サーマルヘッド３０、検出スイッチ２９などが接続されている。
【００２８】
本実施の形態では、ＣＰＵ６１は、制御プログラムに従い、検出スイッチ２９からＯＮ信号が送られてきている場合にのみ印字動作を可能とし、検出スイッチ２９からＯＦＦ信号が送られてきている場合には印字動作を行わないように各部を制御する。
【００２９】
このような構成において、レシートプリンタ１にロール紙１６をセットする場合には、上部ユニット１４を開放位置に回動して搬送経路３９を開放し、ロール紙１６を用紙収納部１７に収納する。そして、ロール紙１６の先端をカッタ装置２１よりも下流側に引き出し、この状態で、上部ユニット１４を閉じ位置に回動して搬送経路３９を閉じる。これによりロール紙１６のセットが完了する。
【００３０】
このとき、揺動部材５１及び検出スイッチ２９は、検出位置に位置付けられており（図５（ｂ）参照）、搬送経路３９中のロール紙１６の有無の検出が可能な状態となっている。そして、この状態では、検出スイッチ２９は搬送経路３９中のロール紙１６にレバー２９ａを押されており、ＯＮ信号を出力する。つまり、このときは、上部ユニット１４が閉じられており、かつ、搬送経路３９中にロール紙１６が有る状態であり、これらの両方の条件が満たされたときに、検出スイッチ２９はＯＮ信号を出力する。これにより、ＣＰＵ６１は印字動作可能と判断する。
【００３１】
ＣＰＵ６１の制御により印字動作が行われると、用紙収納部１７に収納保持されたロール紙１６はプラテン１８による搬送駆動を受けて搬送経路３９中を搬送されながら、サーマルヘッド３０により所定のレシート印字内容が順次印字される。印字が終了すると、ロール紙１６の後端側がカッタ装置２１において可動刃２２の駆動により切断され、排出側出口を経て図１に示す方向にレシート発行される。
【００３２】
また、この状態でロール紙１６が無くなった場合には、検出スイッチ２９は、レバー２９ａが押されなくなり、これによりロール紙１６の無しを検出しＯＦＦ信号を出力する。これによりＣＰＵ６１は印字動作を行わないようにする。
【００３３】
搬送経路３９中のロール紙１６の有無に関わらず、上部ユニット１４が開放位置に回動され搬送経路３９が開放されたときには（図３参照）、揺動部材５１及び検出スイッチ２９は退避位置に位置付けられ（図５（ａ）参照）、搬送経路３９中のロール紙１６の有無の検出が不可な状態となっている。このとき検出スイッチ２９のレバー２９ａは押されていない状態であるので、検出スイッチ２９はＯＦＦ信号を出力する。これにより、ＣＰＵ６１は印字動作を行わない。ここで、図７に、搬送経路３９中にロール紙１６が有り上部ユニット１４が開放位置へ回動され閉じ位置に位置していないときの状態を示す。このように、上部ユニット１４が開放位置に回動され、搬送経路３９が開放されたときには、ロール紙１６の有無に関わらず、印字動作は行われない。
【００３４】
以上説明したように、本実施の形態では、一つの検出スイッチ２９により上部ユニット１４の閉じとロール紙１６の有りとを同時に検出することができる。これにより、従来のように２つの検出器を設けたものに比べてレシートプリンタ１を安価することができる。
【００３５】
また、上部ユニット１４が開放位置に回動され、搬送経路３９が開放された場合でも、検出スイッチ２９及び揺動部材５１は、下部上流案内板４０に覆われており（図３）、操作者が誤って検出スイッチ２９や揺動部材５１に触れてしまうことが無いので、検出スイッチ２９の誤動作が防止されている。
【００３６】
さらに、下部上流案内板４０に形成された貫通孔５３，５５は、人の指が入らない大きさに設定されているので、それらの貫通孔５３，５５から操作者が誤って検出スイッチ２９や揺動部材５１に触れてしまうことが無い。
【００３７】
よって、上部ユニット１４が開放位置に位置して搬送経路３９が開放されたときには印字動作が行われることが無いので、この状態でサーマルヘッド３０が発熱することがなく、安全性が向上している。さらにこの状態でサーマルヘッド３０は発熱しないことから、サーマルヘッド３０に熱が蓄積することがなく、サーマルヘッド３０が熱で損傷することが防止されている。また、空の印字動作が行われることが無いので、従来のように印字データが消去されてしまうということがない。
【００３８】
なお、本実施の形態では、検出器として検出スイッチ２９を例に説明したがこれに限るものではなく、検出器としては例えば反射型や透過型のセンサであっても良い。透過型のセンサを用いる場合には、発信側又は受信側の一方を上部ユニット１４側に設ければ良い。
【００３９】
また、本実施の形態では、検出スイッチ２９、支軸５０、揺動部材５１、貫通孔５３，５５を下部ユニット１３に設け、押し部材５４、逃げ孔５６を上部ユニット１４に設けた例を説明したが、これらをそれぞれ逆のユニットに設けてもよい。この場合には、上部ユニット１４が開放位置に位置しているときに、検出スイッチ２９及び揺動部材５１が退避位置になるように、第二の位置付け手段としての例えばバネなどの付勢部材により検出スイッチ２９及び揺動部材５１を付勢し、上部ユニット１４を閉じ位置に回動する際にはその付勢部材の付勢力に抗して揺動部材５１が検出位置に揺動するようにすれば良い。
【００４０】
このように本実施の形態においては、搬送経路３９に沿って連続紙であるロール紙１６がセットされていることを検出器である検出スイッチ２９によって検出している場合にのみ印字動作を実行するプリンタであるレシートプリンタ１において、第一のユニットである下部ユニット１３と、下部ユニット１３に対して開閉自在に設けられ、下部ユニット１３に対して閉じた状態のときに下部ユニット１３との間に搬送経路３９を形成する第二のユニットである上部ユニット１４と、一端５１ａ側に検出スイッチ２９を有して上部ユニット１４又は下部ユニット１３の一方に設けられ、検出スイッチ２９が搬送経路３９中のロール紙１６の有無の検出が可能となる検出位置と検出位置から退避し搬送経路３９中のロール紙１６の有無の検出が不可となる退避位置との間で移動可能なように揺動自在に設けられた揺動部材５１と、揺動部材５１が設けられない方のユニットに設けられ、上部ユニット１４を閉じる動作に伴い揺動部材５１が設けられた方のユニットに挿入される押し部材５４と、上部ユニット１４を閉じる動作に伴い進入する押し部材５４の押圧力が揺動部材５１の他端５１ｂに作用して揺動部材５１を揺動させて検出スイッチ２９を検出位置に位置付ける第一の位置付け手段と、下部ユニット１３に対して開いた位置に上部ユニット１４が位置しているときに、検出スイッチ２９が退避位置となるように揺動部材５１を揺動させる第二の位置付け手段と、押し部材５４の挿入を許容して人間の指の挿入を遮断する大きさに形成された貫通孔５３が設けられ揺動部材５１と検出スイッチ２９とを覆う覆い部材である下部上流案内板４０と、を備えることにより、一つの検出スイッチ２９により上部ユニット１４の閉じとロール紙１６の有りとを同時に検出することができる。また、上部ユニット１４が開放位置に回動され、搬送経路３９が開放された場合でも、検出スイッチ２９及び揺動部材５１は、下部上流案内板４０に覆われており（図３）、操作者が誤って検出スイッチ２９や揺動部材５１に触れてしまうことが無いので、検出スイッチ２９の誤動作が防止されている。
【００４１】
【発明の効果】
本発明によれば、連続紙の有りと第二のユニットの閉じとの検出を揺動部材に設けられた検出器により同時に行うことができ、かつ、この場合にでも、揺動部材と検出器とが覆い部材により覆われるので、操作者が検出器を誤動作させてしまうことを防止することができる。
【図面の簡単な説明】
【図１】本発明の一実施の形態のレシートプリンタを示す外観斜視図である。
【図２】レシートプリンタの概略断面構造を示す概略側面図である。
【図３】搬送経路を開放した状態のレシートプリンタを示す斜視図である。
【図４】スイッチ保持機構を示す斜視図である。
【図５】スイッチ保持機構を示し、（ａ）は搬送経路が開放された状態でのスイッチ保持機構を示す縦断正面図、（ｂ）は搬送経路が閉じられた状態でのスイッチ保持機構を示す縦断正面図、（ｃ）は搬送経路が閉じられた状態でロール紙が搬送経路中にある状態のスイッチ保持機構を示す縦断正面図である。
【図６】レシートプリンタの各部の電気的接続を示すブロック図である。
【図７】搬送経路中にロール紙が有り、上部ユニットが開いた状態のスイッチ保持機構を示す縦断正面図である。
【図８】従来のレシートプリンタの概略断面構造を示す概略側面図である。
【符号の説明】
１…レシートプリンタ（プリンタ）、１３…下部ユニット（第一のユニット）、１４…上部ユニット（第二のユニット）、１６…ロール紙（連続紙）、２９…検出スイッチ（検出器）、３９…搬送経路、４０…下部上流案内板（覆い部材）、５１…揺動部材、５１ａ…一端、５３…貫通孔、５４…押し部材
【図１】
2004358745.tif 000003
【図２】
2004358745.tif 000004
【図３】
2004358745.tif 000005
【図４】
2004358745.tif 000006
【図５】
2004358745.tif 000007
【図６】
2004358745.tif 000008
【図７】
2004358745.tif 000009
【図８】
2004358745.tif 000010